(57)【要約】【課題】回路遮断器の外部操作ハンドル装置において、回路遮断器がトリップ状態であっても扉を閉じられる構成を得る。【解決手段】操作ユニット２の内部に、係合傾斜面７ａを有すると共に付勢ばねに８より所定方向に付勢されたオン・トリップ用スライダ７を備え、開いた状態にある扉１を閉じるとき、ハンドル６がオン状態またはトリップ状態に回動されているときは、シャフト５の先端に形成された係合突起５ａがオン・トリップ用スライダ７の係合傾斜面７ａに係合して、扉１を閉じるための押圧力がオン・トリップ用スライダ７を付勢ばね８に抗してスライドさせて扉１が閉じられるようにした。【選択図】        図２
2004265843.tif 000002
【特許請求の範囲】
【請求項１】
前面に扉を有する箱形の盤の内部に設置された回路遮断器の前面に、シャフトを有するドライブユニットが搭載され、上記扉に上記回路遮断器を操作するハンドルを有する操作ユニットが設置され、上記扉を閉じたとき、上記ドライブユニットのシャフトの先端に形成された係合突起と上記扉に設置された操作ユニットとが結合するように構成された回路遮断器の外部操作ハンドル装置において、上記操作ユニットの内部に、係合傾斜面を有すると共に付勢ばねにより所定方向に付勢されたオン・トリップ用スライダを備え、上記扉を開くとき、上記ハンドルがオン状態またはトリップ状態に回動されているときは、上記シャフトの先端に形成された係合突起が上記オン・トリップ用スライダに係合して上記扉が開かれるのを阻止し、開いた状態にある上記扉を閉じるとき、上記ハンドルがオン状態またはトリップ状態に回動されているときは、上記シャフトの先端に形成された係合突起が上記オン・トリップ用スライダの係合傾斜面に係合して、上記扉を閉じるための押圧力が上記オン・トリップ用スライダを上記付勢ばねに抗してスライドさせることにより、開いた上記扉が閉じられ、かつ、上記シャフトの係合突起が上記操作ユニットに結合されるようにしたことを特徴とする回路遮断器の外部操作ハンドル装置。
【請求項２】
上記オン・トリップ用スライダに隣接して、付勢ばねにより上記オン・トリップ用スライダとは逆方向に付勢されたオフ用スライダを備え、ハンドルがオフ状態にあるとき、上記オフ用スライダを上記付勢ばねに抗してスライドさせることにより、シャフトの先端に形成された係合突起が上記オフ用スライダと係合して、閉じた状態にある上記扉が開かれるのを阻止するようにしたことを特徴とする請求項１記載の回路遮断器の外部操作ハンドル装置。
【請求項３】
上記ハンドルがオフ状態のとき、上記ハンドルに形成された嵌装溝に対して出し入れできるように設けられたロックプレートと、このロックプレートの出し入れに従動して回動するようになされたローラと、このローラに一体的に形成された作動カムを備え、上記ロックプレートを引き出したとき、上記作動カムが上記オフ用スライダと係合することにより、上記オフ用スライダが付勢ばねに抗してスライドするようにしたことを特徴とする請求項２記載の回路遮断器の外部操作ハンドル装置。
【請求項４】
上記ローラに一体的に形成された作動カムが、上記ロックプレートを引き出したとき、上記オン・トリップ用スライダ及びオフ用スライダと係合して、上記両スライダがそれぞれ付勢ばねに抗してスライドするように構成すると共に、上記ハンドルがオン状態のとき、操作ユニットの前面に上記ローラの一端が露出するように構成され、上記露出したローラを手動で回動することにより、閉じた状態にある扉を開くことができるようにしたことを特徴とする請求項３記載の回路遮断器の外部操作ハンドル装置。
【発明の詳細な説明】
【０００１】
【発明の属する技術分野】
この発明は、配電盤や制御盤に収容された配線用遮断器や漏電遮断器などの回路遮断器を盤の扉の外側から開閉操作し、併せて盤の扉の開閉を規制するようになされた回路遮断器の外部操作ハンドル装置に関する。
【０００２】
【従来の技術】
従来の回路遮断器の外部操作ハンドル装置は、盤の扉に設置された操作ユニットと、盤内に設置された回路遮断器の前面に搭載されたドライブユニットと、両ユニットを結合するためのシャフトなどから構成されている。
操作ユニットには、回動自在に操作できるようになされたハンドルが設けられている。そのハンドルの操作位置に合わせてＯＮ（オン位置）、ＯＦＦ（オフ位置）、ＴＲＩＰＰＥＤ（トリップ位置）及びＲＥＳＥＴ（リセット位置）の表示が操作ユニットの前面に施されている。
【０００３】
シャフトはドライブユニット側に設けられ、扉の開閉に対応して、ハンドルに係脱可能に連結される。従って、扉を閉じた状態において、シャフトはハンドルと一体に回動してその操作をドライブユニットに伝達する。ドライブユニットはシャフトの回動動作を直線往復運動に変換し、回路遮断器の開閉レバーを往復駆動（開閉駆動）する構成になされている。
また、回路遮断器の外部操作ハンドル装置は、通常、盤の扉を不用意に開くことがないように、扉のロック機構を備えている。また、盤あるいは回路遮断器などの都合によっては、上記のロックを解除する機能も備えていることもある。
（例えば、特許文献１参照）。
【０００４】
【特許文献１】
特開平７−２５４３４３号公報（段落０００５−０００６）
【０００５】
【発明が解決しようとする課題】
従来の回路遮断器の外部操作ハンドル装置は、盤の扉を不用意に開放されないためのロック、及び、その解除を行う機能を併せ持っている。また、近年のこの種の装置では、一般に、ハンドルがオン位置及びオフ位置では扉を閉じることができるが、トリップ位置ではこれを閉じることができないような構成になっている。このため、不足電圧引き外し装置付の回路遮断器に外部操作ハンドル装置を装着したものにおいては、回路遮断器がトリップ状態（ハンドルがトリップ位置）のときに、回路遮断器をオン位置またはオフ位置にしようとしても、回路遮断器が無電圧のときには回路遮断器に装着された不足電圧引き外し装置（所定の電圧以下のときに回路遮断器をトリップさせる装置）が作動し、トリップ状態（トリップ位置）になる。このため、扉を閉めることが出来ない状態が生じるという問題点があった。
【０００６】
この発明は、かかる問題点を解決するためになされたものであり、回路遮断器がトリップ状態であっても扉を閉められることができる回路遮断器の外部操作ハンドル装置を提供することを目的としている。また、ハンドルがオン位置にある状態において扉を開く必要を生じたときには、簡単な操作でロックを外して扉を開くことできる機構を提供することを目的とする。
【０００７】
【課題を解決するための手段】
この発明に係る回路遮断器の外部操作ハンドル装置は、前面に扉を有する箱形の盤の内部に設置された回路遮断器の前面に、シャフトを有するドライブユニットが搭載され、上記扉に回路遮断器を操作するハンドルを有する操作ユニットが設置され、扉を閉じたとき、ドライブユニットのシャフトの先端に形成された係合突起と、扉に設置された操作ユニットとが結合するように構成されたものにおいて、操作ユニットの内部に、係合傾斜面を有すると共に付勢ばねにより所定方向に付勢されたオン・トリップ用スライダを備え、扉を開くとき、ハンドルがオン状態またはトリップ状態に回動されているときは、シャフトの先端に形成された係合突起がオン・トリップ用スライダに係合して扉が開かれるのを阻止し、開いた状態にある扉を閉じるとき、ハンドルがオン状態またはトリップ状態に回動されているときは、シャフトの先端に形成された係合突起がオン・トリップ用スライダの係合傾斜面に係合して、扉を閉じるための押圧力がオン・トリップ用スライダを付勢ばねに抗してスライドさせることにより、開いた扉が閉じられ、かつ、シャフトの係合突起が操作ユニットに結合されるようにした。
【０００８】
また、ハンドルがオフ状態のとき、ハンドルに形成された嵌装溝に対して出し入れできるように設けられたロックプレートと、このロックプレートの出し入れに従動して回動するようになされたローラと、このローラに一体的に形成された作動カムを備え、ロックプレートを引き出したとき、ローラの作動カムがオフ用スライダに係合してオフ用スライダを付勢ばねに抗して所定位置にスライドさせる。このスライドにより、シャフトの先端に形成された係合突起がオフ用スライダに係合して扉の開放が阻止されるようにした。
【０００９】
【発明の実施の形態】
実施の形態１．
図１はこの発明の実施の形態１における回路遮断器の外部操作ハンドル装置を前面側から見た外観を示す斜視図、図２は図１の外部操作ハンドル装置の構成を示す分解斜視図、図３は図１の外部操作ハンドル装置の構成を示す一部破断平面図、図４は図３のＡ−Ａ線における断面図である。
【００１０】
外部操作ハンドル装置は、図１に示すように、前面に扉１を有する箱形の配電盤あるいは分電気盤（図示せず）に装着される。この場合、外部操作ハンドル装置は操作ユニット２とドライブユニット４に分離できるように構成され、ハンドル６を有する操作ユニット２は扉１に装着されている。また、ドライブユニット４は、配電盤あるいは分電気盤（以下盤という）の箱内に設置された回路遮断器３の前面に搭載されている。ドライブユニット４には中央部に突出するシャフト５があり、このシャフト５は、扉１を閉じたときシャフト５の先端に形成された係合突起５ａを介して操作ユニット２と結合するようになされている。なお、この実施例の場合、シャフト５は四角形の棒材を切削して形成され、係合突起５ａは細いステンレス棒をシャフト５の先端に圧入して形成されている。
【００１１】
上記の構成において、操作ユニット２がシャフト５に結合された状態でハンドル６を回動すると、ドライブユニット４のドライブ機構（図示せず）により回路遮断器３が開閉される。この場合、上記のドライブ機構は、従来の機構と同様のもので、例えば、シャフト５の回転運動を直線往復運動に変換して回路遮断器３の起倒形ハンドルをオン・オフ操作する機構を用いるが、この部分は発明の主要部ではないため説明を省略する。
【００１２】
操作ユニット２は図２に示すような部品により構成されている。即ち、スライダ部１１は、オン・トリップ用スライダ７（以下オン用スライダ７という）と、このオン用スライダ７をシャフト５に係合させる方向に付勢する第１の付勢ばね８と、オン用スライダ７に隣接して配置されたオフ用スライダ９と、このオフ用スライダー９をシャフト５に係合させない方向（オン用スライダ７の付勢に対し逆方向）に付勢する第２の付勢ばね１０を有し、合成樹脂製のハンドルベース１２とハンドルカバー１３との間にあってスライドできるように挟持されている。なお、第１の付勢ばね８は、図３に示すように、ハンドルカバー１３の内側から突出したばね止め１３ｂに当接してばねの働きがなされる。第２の付勢ばね１０は、一端がハンドルカバー１３の内側に当接してばねの働きがなされる。なお、オン用スライダ７には、シャフト５の係合突起５ａが係合するように一部分を折り曲げて形成された係合傾斜面７ａがあるが、この係合動作については後述する。なお、操作ユニット２は、小ねじ１ａにより盤の扉１に設置される。
【００１３】
ハンドル６は、ハンドルカバー１３の前面側に回動できるように嵌装され、背面側にはシャフト５の先端に形成された係合突起５ａが挿入される結合穴（図示せず）が設けてある。ハンドルカバー１３にはハンドル６のノブ６ａの操作位置に合わせてＯＮ（オン位置）、ＯＦＦ（オフ位置）、及びＲＥＳＥＴ（リセット位置）の表示（図５から図９に示す）が施されている。また、ハンドル６の側面にはロックプレート１４を出し入れできるように形成された嵌装溝６ｂがある。この、ロックプレート１４は、配線回路の点検・修理などに際し、回路遮断器のオフ状態を維持するものである。上記のように、嵌装溝６ｂに嵌装されたロックプレート１４には、図４にも示すように、第３の付勢ばね１５がばね収納孔１４ａに設けてある。この第３の付勢ばね１５は、ハンドル６に設けた貫通孔６ｃに挿通されたピン１６に一端が当接して、常時は、ロックプレート１４をハンドル６の内部に引き入れるように働いている。このロックプレート１４は、ロック孔１４ｃに後述のように南京錠１８をかけるために設けたものであるが、引き出すときは指先でつまんで引き出すように構成されている。
【００１４】
ローラ１７は、図１０にも記載したように、前面側に第一の作動カム１７ａが、また、背面側に第二の作動カム１７ｂが合成樹脂で一体に形成されている。このローラ１７はハンドルべ−ス１２のローラ孔１２ａと、ハンドルカバー１３のローラ孔１３ａとにより回動自在に保持され、ハンドルカバー１３のローラ孔１３ａからは第一の作動カム１７ａの部分が露出しており、ねじ回しをねじ回し用溝１７ｃにはめてローラ１７を回動できるようになされている。このローラ１７の回動は、第一の作動カム１７ａが前記のロックプレート１４に形成された係合凹部１４ｂと係合し、ロックプレート１４を引き出したとき、図８に示すように矢印方向に回動する。背面側の第二の作動カム１７ｂは、図１１に示すように、ローラ１７が回動したとき、スライダ部１１と係合してオン用スライダ７とオフ用スライダ９を図１１に矢印で示すように互いに逆方向にスライドさせる。
【００１５】
図５から図７はこの発明の実施の形態１における回路遮断器の外部操作ハンドル装置の動作を説明するために、係合突起５ａと、ハンドル６と、スライダ部１１の関係を示すもので、図５はＯＮ（オン位置）、図６はＯＦＦ（オフ位置）、図７はＴＲＩＰＰＥＤ（トリップ位置）を示し、夫々、（ａ）は  操作ユニットの平面図、（ｂ）はスライダ部１１と係合突起５ａの関係図、（ｃ）は上記（ｂ）に示す関係を矢印方向から見た関係図である。
【００１６】
次に、この発明の実施の形態１における回路遮断器の外部操作ハンドル装置の動作について説明する。
ハンドル６をオン位置に回動操作すると、回路遮断器３はドライブユニット４を介してオン状態になされる。ハンドル６をオフ位置に回動操作すると、回路遮断器３はドライブユニット４を介してオフ状態になされる。一方、オン状態で通電電流が所定値を超過した過電流状態になると、回路遮断器３は開閉機構の鎖錠が外れてトリップし、回路遮断器３の開閉レバー（図示せず）がオン位置とオフ位置のほぼ中間に移行する。その移行により、ハンドル６はドライブユニット４から逆駆動されてトリップ位置まで移行する。
【００１７】
トリップした回路遮断器３をリセットするには、ハンドル６をトリップ位置からオフ位置の僅かに先のリセット位置まで反時計方向に回動させる。これにより開閉機構が再鎖錠され、回路遮断器３はオフ状態に復帰する。
【００１８】
外部操作ハンドル装置を備えた回路遮断器において、盤の扉１は、開いても差し支えない状態のとき以外の状態では、扉１が不用意に開かれないように開放のロック、及びその解除を行う機能を併せて備えている。即ち、扉１は回路遮断器３のオン状態、及びトリップ状態では開くことができないようにロックされている。これを開くことができるようにするには、ハンドル６をオフ位置まで回動しなければならないように構成されている。この扉１のロックの機構は、シャフト５に設けられた係合突起５ａと、スライダ部１１との係合により行われ、ハンドル６がオン位置からオフ位置手前の間にある場合は係合突起５ａとスライダ−部１１が係合するため、扉１は開くことができない。即ちオン位置では図５のように、また、トリップ位置では図７に示すように係合突起５ａとスライダ−部１１が係合する。
【００１９】
しかし、ハンドル６を図６に示すオフ位置まで回動させると上記係合が外れるので、扉１は図示しないヒンジを支点に開くことが可能となる。なお、扉１が開かれた状態においては、シャフト５はドライブユニット４に片持ち支持されてそのままの状態に保持される。開いた扉１を閉じる場合は、図６に示すオフ位置では、上記の通りスライダ−部１１に対して係合突起５ａの係合が外れており閉じることが可能である。
【００２０】
図５のオン位置、及び、図７のトリップ位置ではスライダ−部１１のオン用スライダ７と係合突起５ａが係合するので扉１を開くことができないし、当然ながら、扉１が開いた状態にあるならば扉１を閉じることができない。即ち、回路遮断器の点検時あるいは取り替え時など、回路遮断器がオン位置、あるいはトリップ位置で扉１が開いていることがある。この状態における扉１の閉合は、次に示すようになされる。扉１を閉じるとき、オン用スライダ７の係合傾斜面７ａと係合突起５ａが係合すると、扉１を閉じるための押圧力の分力が、付勢ばね８に抗して図５及び図７に示す矢印Ｂ方向にオン用スライダ７をスライドさせる。このスライドにより、オン用スライダ７と係合突起５ａの係合が解除されるので、扉１を閉じることができるようになる。なお、この実施の形態においては、オフ用スライダ９を省略した構造であっても実施は可能である。また、オフ用スライダ９は、ローラ１７によらず、他の手段でスライドさせることも可能である。
【００２１】
実施の形態２．
次に、南京錠１８によるオフ位置でのロック操作（以下、オフロック操作という）について、図８及び図９を参照して回路遮断器の外部操作ハンドル装置の動作を説明する。図８はロック操作前、図９はロック操作後で、夫々、（ａ）は操作ユニットの平面図、（ｂ）はスライダ部１１と係合突起５ａの関係図、（ｃ）は上記（ｂ）に示す関係を矢印方向から見た関係図である。
【００２２】
南京錠１８によるオフロック操作は、ハンドル６がオフ位置においてのみ可能である。即ち、ハンドルカバー１３には、ロックプレート用溝１３ｃ（図２）が設けられており、ロックプレ−ト１４はこのロックプレート用溝１３ｃに嵌まった状態で図８の矢印Ｃ方向に引出される。ロックプレ−ト１４が引き出されると、図８に示すように連動してロ−ラ−１７が矢印Ｄ方向に回動し、ロ−ラ−１７の第二の作動カム１７ｂが、オフ用スライダ−９の従動節部９ａ（図９）を押圧することにより、オフ用スライダ−９が図９に示すように矢印Ｅ方向にスライドする。このスライドにより、オフ用スライダ９のロック片９ｂが係合突起５ａと係合するため、扉１の開放をロックさせる。次に、ロックプレ−ト１４のロック孔１４ｃに南京錠１８を嵌挿させることにより、オフ用スライダ９をスライドさせた状態にロックすることになる。このようにして回路遮断器３をオフロックすることができる。なお、上記と同時に、ロ−ラ−１７の第二の作動カム１７ｂは、オン用スライダ−７の従動節部７ａを押圧することになり、オン用スライダ−７を図９に示す矢印Ｅ方向とは逆方向にスライドさせるが、このスライドは上記のロックには関係しない。
【００２３】
実施の形態３．
前記のように、ハンドル６がオン位置にあるときは、オン用スライダ−７と係合突起５ａが係合するので、不用意に扉１が開かれることはない。しかし、回路遮断器がオン状態であっても、盤１の内部を点検・確認など行う必要が生じる場合がある。このときは、図５に示すように、ローラ１７の一端が操作ユニット２の前面に露出するように構成されているので、このローラ１７をねじ回しなど手動で回動することにより、閉じた状態にある扉１を開くことができる。即ち、ローラ１７を回動すると、オン用スライダ−７がＢ方向にスライドして、係合突起５ａの係合がなくなるので扉１を開くことができる。なお、このとき、ロックプレ−ト１４は、ハンドル６と共に回動して第一の作動カム１７ａと係合しない状態にあるので、ロックプレ−ト１４が引き出されることはない。
【００２４】
【発明の効果】
この発明の回路遮断器の外部操作ハンドル装置は、以上説明したように構成されており、扉に固定され回路遮断器がオフ状態のときに扉を開閉可能とし、回路遮断器がオンまたはトリップ状態のときに扉の閉が可能であるので、回路遮断器が無電圧のときに回路遮断器に装着された不足電圧引き外し装置が作動しても、扉を閉じることができる。なお、この発明は、不足電圧引き外し装置付の回路遮断器に用いるとき、重要な効果を奏するが、不足電圧引き外し装置付ではない回路遮断器において使用する場合、必要に応じてオン状態で、扉を開くことができるなどの効果を奏する。
【図面の簡単な説明】
【図１】この発明の実施の形態１における回路遮断器の外部操作ハンドル装置の関係を示す斜視図である。
【図２】図１の外部操作ハンドル装置の構成を示す分解斜視図である。
【図３】図１の外部操作ハンドル装置の一部破断正面図である。
【図４】図３のＡ−Ａ線における断面図である。
【図５】ハンドルがオン状態のときの説明図である。
【図６】ハンドルがオフ状態のときの説明図である。
【図７】ハンドルがトリップ状態のときの説明図である。
【図８】南京錠によるオフロック操作の操作前の説明図である。
【図９】南京錠によるオフロック操作の操作後の説明図である。
【図１０】ローラの外観説明図である。
【図１１】スライダとローラの関係を示す説明図である。
【符号の説明】
１  扉、２  操作ユニット、３  回路遮断器、４  ドライブユニット、５  シャフト、５ａ    係合突起、６  ハンドル、７  オン・トリップ用スライダ、７ａ係合傾斜面、８  第１の付勢ばね、９  オフ用スライダ、１０  第２の付勢ばね、１１  スライダー部、１２  ハンドルベース、１３  ハンドルカバー、１４ロックプレート、１４ｃ  ロック孔、１７  ローラー、１７ａ    作動カム、１７ｂ  作動カム、１８  ロック手段（南京錠）。
【図１】
2004265843.tif 000003
【図２】
2004265843.tif 000004
【図３】
2004265843.tif 000005
【図４】
2004265843.tif 000006
【図５】
2004265843.tif 000007
【図６】
2004265843.tif 000008
【図７】
2004265843.tif 000009
【図８】
2004265843.tif 000010
【図９】
2004265843.tif 000011
【図１０】
2004265843.tif 000012
【図１１】
2004265843.tif 000013